(57)【要約】【課題】印刷データに対して、インクの色に合わせた色の変換を適切に行う。【解決手段】印刷データに対して色の変換を行う色変換方法であって、色の変換を行う前の印刷データにおいて色を表現するために用いられている変換前表色系の色を、複数色のインクに対応するインク表色系の色に変換する色変換処理を行い、色変換処理において、印刷データにおける各位置の中から一部の位置を選択する位置選択処理Ｓ１０４と、変換の前後の色を対応付けるプロファイルに従って印刷データにおける各位置の色を変換するプロファイル使用処理Ｓ１０６と、位置選択処理Ｓ１０４において選択された選択位置に対するプロファイル使用処理Ｓ１０６での色の変換の結果に対し、所定の色数以下のインクを用いて表現される色になるように補正を行う色補正処理Ｓ１０８とを行う。【選択図】図１
2020187665.tif 000002
【特許請求の範囲】
【請求項１】
印刷すべき画像を示す印刷データに基づいて複数色のインクを用いてカラー印刷を行う印刷装置で用いる前記印刷データに対して色の変換を行う色変換方法であって、
前記色の変換を行う前の前記印刷データにおいて色を表現するために用いられている表色系である変換前表色系の色を、前記複数色のインクに対応する表色系であるインク表色系の色に変換する色変換処理を行い、
前記色変換処理において、
前記画像の各位置の色が前記変換前表色系で設定されている前記印刷データを入力するデータ入力処理と、
前記印刷データにおける前記各位置の中から一部の位置を選択する処理であり、前記複数色のインクの色の数よりも少ない所定の色数以下のインクを用いて色を表現すべき位置を選択する位置選択処理と、
変換の前後の色を対応付けるデータであるプロファイルに従って前記印刷データにおける前記各位置の色を変換する処理であり、前記各位置の色について、前記プロファイルに基づき、前記変換前表色系の色から前記インク表色系の色に変換するプロファイル使用処理と、
前記位置選択処理において選択された位置である選択位置に対する前記プロファイル使用処理での色の変換の結果に対し、前記所定の色数以下のインクを用いて表現される色になるように補正を行う色補正処理と
を行うことを特徴とする色変換方法。
【請求項２】
前記位置選択処理において、それぞれの前記選択位置に対し、当該選択位置の色を表現するために使用するインクの色である使用インク色として、前記所定の色数以下のインクの色を更に指定し、
前記プロファイル使用処理において、前記インク表色系の色として、前記複数の色のインクのそれぞれの使用率と対応付けられる値であるインク使用率を設定し、
前記色補正処理において、前記選択位置に対して前記プロファイル使用処理において設定された前記インク使用率に対し、前記位置選択処理において当該選択位置に対して前記使用インク色として指定された色以外の色を使用しないように、前記インク使用率を補正することを特徴とする請求項１に記載の色変換方法。
【請求項３】
前記色補正処理において、前記選択位置に対して前記プロファイル使用処理において設定された前記インク使用率のうち、前記位置選択処理において当該選択位置に対して前記使用インク色として指定された色に対応する前記インク使用率は変化させないことを特徴とする請求項２に記載の色変換方法。
【請求項４】
前記色補正処理において、
前記選択位置に対して前記プロファイル使用処理において設定された前記インク使用率のうち、
前記位置選択処理において当該選択位置に対して前記使用インク色として指定された色以外の色である非使用インク色に対応する前記インク使用率について、インクを使用しないことを示す値に変更し、
前記非使用インク色に対応する前記インク使用率の変更前の値に基づき、前記位置選択処理において当該選択位置に対して前記使用インク色として指定された色に対応する前記インク使用率を変化させることを特徴とする請求項２に記載の色変換方法。
【請求項５】
前記印刷装置は、少なくとも、シアン色、マゼンタ色、及びイエロー色の各色のインクを用いてカラー印刷を行い、
前記インク表色系は、シアン色、マゼンタ色、及びイエロー色の各色を少なくとも用いて色を表現する表色系であることを特徴とする請求項１から４のいずれかに記載の色変換方法。
【請求項６】
前記位置選択処理において、前記選択位置として、２色以下のインクを用いて色を表現すべき位置を選択することを特徴とする請求項１から５のいずれかに記載の色変換方法。
【請求項７】
前記位置選択処理において、前記選択位置として、２色のインクを用いて色を表現すべき位置と、１色のみのインクを用いて色を表現すべき位置とを選択し、
前記色補正処理において、前記選択位置のうち、
前記２色のインクを用いて色を表現すべき位置について、補正後において２色のインクを用いて色が表現されるように、色の補正を行い、
前記１色のみのインクを用いて色を表現すべき位置について、補正後において１色のインクのみを用いて色が表現されるように、色の補正を行うことを特徴とする請求項１から６のいずれかに記載の色変換方法。
【請求項８】
布の媒体に対して印刷を行う前記印刷装置で用いる前記印刷データに対して色の変換を行うことを特徴とする請求項１から７のいずれかに記載の色変換方法。
【請求項９】
他の媒体への転写に用いる媒体である転写媒体に対して印刷を行う前記印刷装置で用いる前記印刷データに対して色の変換を行うことを特徴とする請求項１から８のいずれかに記載の色変換方法。
【請求項１０】
印刷すべき画像を示す印刷データに基づいて複数色のインクを用いてカラー印刷を行う印刷装置で用いる前記印刷データに対して色の変換を行う色変換装置であって、
前記色の変換を行う前の前記印刷データにおいて色を表現するために用いられている表色系である変換前表色系の色を、前記複数色のインクに対応する表色系であるインク表色系の色に変換する色変換処理を行い、
前記画像の各位置の色が前記変換前表色系で設定されている前記印刷データを入力するデータ入力部と、
前記印刷データにおける前記各位置の中から一部の位置を選択する構成であり、前記複数色のインクの色の数よりも少ない所定の色数以下のインクを用いて色を表現すべき位置を選択する位置選択部と、
変換の前後の色を対応付けるデータであるプロファイルに従って前記印刷データにおける前記各位置の色を変換する構成であり、前記各位置の色について、前記プロファイルに基づき、前記変換前表色系の色から前記インク表色系の色に変換するプロファイル処理部と、
前記位置選択処理において選択された位置である選択位置に対する前記プロファイル処理部での色の変換の結果に対し、前記所定の色数以下のインクを用いて表現される色になるように補正を行う色補正部と
を備えることを特徴とする色変換装置。
【請求項１１】
印刷すべき画像を示す印刷データに基づいて複数色のインクを用いてカラー印刷を行う印刷装置で用いる前記印刷データに対して色の変換を行う色変換処理をコンピュータに行わせるプログラムであって、
前記色変換処理は、前記色の変換を行う前の前記印刷データにおいて色を表現するために用いられている表色系である変換前表色系の色を、前記複数色のインクに対応する表色系であるインク表色系の色に変換する処理であり、
前記色変換処理において、
前記画像の各位置の色が前記変換前表色系で設定されている前記印刷データを入力するデータ入力処理と、
前記印刷データにおける前記各位置の中から一部の位置を選択する処理であり、前記複数色のインクの色の数よりも少ない所定の色数以下のインクを用いて色を表現すべき位置を選択する位置選択処理と、
変換の前後の色を対応付けるデータであるプロファイルに従って前記印刷データにおける前記各位置の色を変換する処理であり、前記各位置の色について、前記プロファイルに基づき、前記変換前表色系の色から前記インク表色系の色に変換するプロファイル使用処理と、
前記位置選択処理において選択された位置である選択位置に対する前記プロファイル使用処理での色の変換の結果に対し、前記所定の色数以下のインクを用いて表現される色になるように補正を行う色補正処理と
を前記コンピュータに行わせることを特徴とするプログラム。
【発明の詳細な説明】
【技術分野】
【０００１】
本発明は、色変換方法、色変換装置、及びプログラムに関する。
【背景技術】
【０００２】
従来、インクジェット方式でカラー印刷を行う印刷装置（インクジェットプリンタ）が広く用いられている。このような印刷装置でカラー印刷を行う場合、通常、印刷データに対し、例えばＩＣＣプロファイル等を用いて、印刷に使用するインクの色に合わせた色変換の処理を行う（例えば、特許文献１参照。）。
【先行技術文献】
【特許文献】
【０００３】
【特許文献１】特開２０１０−０１０８６２号公報
【発明の概要】
【発明が解決しようとする課題】
【０００４】
印刷に求められる条件によっては、一部の色について、例えば１色のインクの色をそのまま用いて表現することが求められる場合がある。そして、この場合、例えば１色のインクのみで表現すべき色（純色、１次色）について、純色の保持を行う場合がある。また、より具体的に、この場合、純色以外の色については、ＩＣＣプロファイル等を用いて色の変換を行い、純色については、ＩＣＣプロファイル等を用いての色の変換を行わずに、１色のインクのみで色が表現されるように、色の設定を行う。このように構成すれば、例えば、純色の保持を行う位置において、他の色のインクが混ざることや濁りが生じること等を適切に防ぐことができる。
【０００５】
しかし、純色とそれ以外の色との間で処理の仕方をこのように異ならせた場合、変換後の色において、色の連続性が不十分になり、印刷の結果に影響が生じる場合がある。より具体的に、この場合、例えば、純色に近い色と純色との間にトーンジャンプ等が生じ、印刷の結果に影響が生じること等が考えられる。そのため、従来、インクの色に合わせた色の変換をより適切に行うことが望まれていた。そこで、本発明は、上記の課題を解決できる色変換方法、色変換装置、及びプログラムを提供することを目的とする。
【課題を解決するための手段】
【０００６】
本願の発明者は、上記のようなトーンジャンプ等を防ぎつつより適切に色の変換を行う方法について、鋭意研究を行った。そして、純色について、ＩＣＣプロファイル等を用いた色の変換を行わないのではなく、ＩＣＣプロファイル等を用いた色の変換を行った後に、更に色の補正を行うことを考えた。また、この補正において、純色については、対応する１色のインクのみを用いるように補正を行うことを考えた。
【０００７】
この場合、純色に対してもＩＣＣプロファイル等を用いて色の変換を行うことで、その時点において、純色以外の色と同じ条件で色の変換を行うことができる。また、その後に色の補正を行うことで、印刷に求められる条件等に応じて、純色について、１色のインクのみを用いて適切に表現することができる。
【０００８】
また、この場合、ＩＣＣプロファイル等を用いた色の変換を行い、その結果に対して補正を行うことで、純色を表現するための１色のインクの濃度等について、純色に近い他の色を表現する場合と適切に近づけることができる。そのため、このように構成すれば、例えば、トーンジャンプ等を防ぎつつ、より適切に色の変換を行うことができる。また、このような色の変換の仕方は、純色に限らず、使用するインクの色数よりも少ない所定の色数（例えば、２色）の混色により表現される色に対しても、同様に行うことができる。
【０００９】
また、本願の発明者は、更なる鋭意研究により、このような効果を得るために必要な特徴を見出し、本発明に至った。上記の課題を解決するために、本発明は、印刷すべき画像を示す印刷データに基づいて複数色のインクを用いてカラー印刷を行う印刷装置で用いる前記印刷データに対して色の変換を行う色変換方法であって、前記色の変換を行う前の前記印刷データにおいて色を表現するために用いられている表色系である変換前表色系の色を、前記複数色のインクに対応する表色系であるインク表色系の色に変換する色変換処理を行い、前記色変換処理において、前記画像の各位置の色が前記変換前表色系で設定されている前記印刷データを入力するデータ入力処理と、前記印刷データにおける前記各位置の中から一部の位置を選択する処理であり、前記複数色のインクの色の数よりも少ない所定の色数以下のインクを用いて色を表現すべき位置を選択する位置選択処理と、変換の前後の色を対応付けるデータであるプロファイルに従って前記印刷データにおける前記各位置の色を変換する処理であり、前記各位置の色について、前記プロファイルに基づき、前記変換前表色系の色から前記インク表色系の色に変換するプロファイル使用処理と、前記位置選択処理において選択された位置である選択位置に対する前記プロファイル使用処理での色の変換の結果に対し、前記所定の色数以下のインクを用いて表現される色になるように補正を行う色補正処理とを行うことを特徴とする。
【００１０】
このように構成した場合、例えば、所定の色数以下のインクを用いて表現する色について、プロファイルに基づく色の変換を行った上で、使用するインクの色数を合わせる補正を適切に行うことができる。そのため、このように構成すれば、例えば、トーンジャンプ等を防ぎつつ、より適切に色の変換を行うことができる。また、これにより、例えば、印刷データに対して、インクの色に合わせた色の変換を適切に行うことができる。
【００１１】
この構成において、印刷装置は、例えば、少なくとも、シアン色、マゼンタ色、及びイエロー色の各色のインクを用いてカラー印刷を行う。この場合、インク表色系としては、例えば、シアン色、マゼンタ色、及びイエロー色の各色を少なくとも用いて色を表現する表色系（例えば、ＣＭＹＫ表色系）を用いることが考えられる。このように構成すれば、印刷装置において、カラー印刷を適切に行うことができる。また、プロファイルとしては、例えばＩＣＣプロファイル等の公知のプロファイルを好適に用いることができる。
【００１２】
また、この構成において、位置選択処理については、例えば、所定の色が設定されている位置を選択する処理等と考えることができる。また、この場合、位置選択処理の動作について、例えば、所定の色数以下のインクを用いて表現する色を選択する動作等と考えることもできる。また、この構成において、所定の色数以下のインクを用いて表現する色とは、例えば、１色のインクで表現する色である純色（１次色）や、２色のインクで表現する色である２次色のことである。この場合、位置選択処理においては、選択位置として、例えば、２色以下のインクを用いて色を表現すべき位置を選択する。位置を選択するとは、例えば、画素を選択することである。また、位置選択処理では、選択位置として、２色のインクを用いて色を表現すべき位置と、１色のみのインクを用いて色を表現すべき位置とを選択することが考えられる。この場合、色補正処理では、例えば、選択位置のうち、２色のインクを用いて色を表現すべき位置について、補正後において２色のインクを用いて色が表現されるように、色の補正を行う。また、１色のみのインクを用いて色を表現すべき位置については、補正後において１色のインクのみを用いて色が表現されるように、色の補正を行う。このように構成すれば、例えば、純色及び２次色について、適切に色の変換を行うことができる。
【００１３】
また、より具体的に、この構成において、位置選択処理では、例えば、それぞれの選択位置に対し、当該選択位置の色を表現するために使用するインクの色である使用インク色として、所定の色数以下のインクの色を更に指定する。また、プロファイル使用処理では、例えば、インク表色系の色として、複数の色のインクのそれぞれの使用率と対応付けられる値であるインク使用率を設定する。また、色補正処理では、例えば、選択位置に対してプロファイル使用処理において設定されたインク使用率に対し、位置選択処理において当該選択位置に対して使用インク色として指定された色以外の色を使用しないように、インク使用率を補正する。このように構成すれば、例えば、色変換処理をより適切に行うことができる。
【００１４】
また、色補正処理では、例えば、選択位置に対してプロファイル使用処理において設定されたインク使用率のうち、位置選択処理において当該選択位置に対して使用インク色として指定された色以外の色である非使用インク色に対応するインク使用率について、インクを使用しないことを示す値に変更する。また、この場合、例えば、選択位置に対してプロファイル使用処理において設定されたインク使用率のうち、位置選択処理において当該選択位置に対して使用インク色として指定された色に対応するインク使用率は変化させないことが考えられる。このように構成すれば、例えば、色補正処理を簡易かつ適切に行うことができる。
【００１５】
また、色補正処理では、非使用インク色に対応するインク使用率の変更前の値に基づき、位置選択処理において当該選択位置に対して使用インク色として指定された色に対応するインク使用率を変化させてもよい。このように構成すれば、例えば、非使用インク色に対応するインク使用率の変化量に合わせて、使用インク色に対応するインク使用率を調整することができる。また、これにより、例えば、色補正処理での色の補正をより高い精度で行うこと等も可能になる。
【００１６】
また、この構成において、印刷装置としては、例えば、布の媒体に対して印刷を行う印刷装置や、他の媒体への転写に用いる媒体である転写媒体に対して印刷を行う印刷装置等を用いることが考えられる。これらの場合、例えば、複数の色のインクを混色させて色を表現する場合に、他の色と比べてインク使用率が大幅に小さい色が混じっていると、粒状感等が目立ちやすくなる。そのため、例えば純色や２次色等について、単にプロファイルを用いた色の変換のみを行うと、インクの使用率が小さな色の成分が混じることで、粒状感等が目立ち、印刷の品質が低下する場合がある。これに対し、これらの印刷装置で用いる印刷データに対し、上記のように色変換処理を行う場合、インクの使用率が小さな色の成分が意図せずに混じること等を適切に防ぐことができる。また、これにより、例えば、粒状感等が目立ちやすい用途の印刷装置においても、高い品質での印刷をより適切に行うことができる。
【００１７】
また、本発明の構成として、上記と同様の特徴を有する色変換装置やプログラム等を用いることも考えられる。これらの場合も、例えば、上記と同様の効果を得ることができる。
【発明の効果】
【００１８】
本発明によれば、印刷データに対して、インクの色に合わせた色の変換を適切に行うことができる。
【図面の簡単な説明】
【００１９】
【図１】本発明の一実施形態に係る色変換処理を実行する印刷システム１０について説明をする図である。図１（ａ）は、印刷システム１０の構成の一例を示す。図１（ｂ）は、印刷システム１０におけるホストＰＣ１４で実行する色変換処理の一例を示すフローチャートである。
【図２】従来の色変換の動作等について更に詳しく説明をする図である。図２（ａ）は、従来の色変換の動作での色の変換結果の一例を示す。図２（ｂ）は、従来の色変換の動作での様々な色に対する変換の結果の例を示す。図２（ｃ）は、図２（ｂ）における変換後の色について、注目すべき位置を楕円で囲んで示す。
【図３】本例において行う色変換の動作等について更に詳しく説明をする図である。図３（ａ）は、純色に対する色変換の動作の一例を示す。図３（ｂ）は、２次色に対する色変換の動作の一例を示す。
【図４】本例により得られる効果について更に詳しく説明をする図である。図４（ａ）は、純色及び２次色を保持して行う従来の色変換の結果の例を示す。図４（ｂ）は、本例において行う色変換の結果の例を示す。
【発明を実施するための形態】
【００２０】
以下、本発明に係る実施形態を、図面を参照しながら説明する。図１は、本発明の一実施形態に係る色変換処理を実行する印刷システム１０について説明をする図である。図１（ａ）は、印刷システム１０の構成の一例を示す。尚、以下に説明をする点を除き、印刷システム１０や印刷システム１０において実行する色変換処理は、公知の印刷システムや色変換処理と同一又は同様の特徴を有してよい。
【００２１】
本例において、印刷システム１０は、印刷対象の媒体（メディア）に対してインクジェット方式でカラー印刷を行うシステムであり、印刷装置１２及びホストＰＣ１４を備える。また、印刷装置１２は、インクジェット方式で印刷を行うインクジェットプリンタであり、互いに異なる色の複数色のインクに対応する複数のインクジェットヘッドを備え、印刷すべき画像を示す印刷データをホストＰＣ１４から受け取り、印刷データに基づいてそれぞれのインクジェットヘッドから各色インクを吐出することで、カラー印刷を行う。
【００２２】
印刷装置１２としては、公知のインクジェットプリンタを好適に用いることができる。また、印刷装置１２において、複数色のインクとしては、例えば、シアン色（Ｃ色）、マゼンタ色（Ｍ色）、及びイエロー色（Ｙ色）の各色のインクを用いることが考えられる。また、本例の印刷装置１２においては、ブラック色（Ｋ色）のインクを更に用いる。このように構成すれば、例えば、印刷装置１２においてカラー印刷（例えば、フルカラー印刷）を適切に行うことができる。
【００２３】
ホストＰＣ１４は、印刷装置１２の動作を制御するコンピュータであり、所定のプログラムに従って印刷データを印刷装置１２へ供給することで、印刷装置１２の動作を制御する。また、本例において、ホストＰＣ１４は、印刷データに対して所定の色変換処理を行い、色変換を行った後の印刷データを印刷装置１２へ供給する。また、この場合、プログラムに従って色変換処理を行うホストＰＣ１４の動作について、例えば、色変換装置として動作していると考えることができる。
【００２４】
図１（ｂ）は、ホストＰＣ１４において実行する色変換処理（色変換方法）の一例を示すフローチャートであり、印刷データに対して色の変換を行う動作の一例を示す。本例において、ホストＰＣ１４は、印刷データに対し、印刷装置１２において使用するインクの色に合わせた色変換処理を行う。この場合、印刷装置１２において使用するインクの色に合わせた色変換処理については、例えば、色の変換を行う前の印刷データにおいて色を表現するために用いられている表色系である変換前表色系の色を、印刷装置１２において使用する複数色のインクに対応する表色系であるインク表色系の色に変換する処理等と考えることができる。また、本例においては、更に、この色変換処理の中で、選択した位置の色について、使用するインクの色数を所定の数以下にする処理を行う。
【００２５】
また、より具体的に、色変換処理を行う場合、ホストＰＣ１４は、先ず、印刷データを入力する処理を行う（データ入力処理Ｓ１０２）。この場合、ホストＰＣ１４は、例えばネットワーク又は記憶媒体等を介してホストＰＣ１４の外部から印刷データを受け取ることにより、印刷データの入力を行う。また、ホストＰＣ１４は、例えばユーザの操作によりホストＰＣ１４において印刷データを生成することで、印刷データを入力してもよい。また、上記においても説明をしたように、本例において行う色変換処理は、変換前表色系の色をインク表色系の色に変換する処理である。そのため、本例において、データ入力処理Ｓ１０２では、画像の各位置の色が変換前表色系で設定されている印刷データを入力する。
【００２６】
尚、本例において、印刷データにおける各位置の色とは、印刷データが示す画像を構成する各画素の色のことである。この場合、画素については、例えば、印刷の解像度に応じて決まるインクの吐出位置に対応する位置等と考えることができる。また、本例において、変換前表色系の色としては、例えば、ＣＭＹＫ表色系の色を用いることが考えられる。また、変換前表色系の色としては、ＲＧＢ表色系の色等を用いてもよい。
【００２７】
また、データ入力処理Ｓ１０２に続いて、ホストＰＣ１４は、後に行う色補正処理Ｓ１０８において補正の対象とする位置（画素）を選択する処理を行う（位置選択処理Ｓ１０４）。また、後に更に詳しく説明をするように、本例において、色補正処理Ｓ１０８では、純色（１次色）又は２次色で色を表現すべき位置に対し、所望の色を保持するように、補正を行う。そのため、位置選択処理Ｓ１０４では、純色又は２次色で表現すべき位置を選択する。この場合、純色又は２次色で表現すべき位置を選択するとは、例えば、印刷データにおいて純色又は２次色に対応する色が設定されている画素を選択することである。また、純色については、例えば、１色のインクのみで表現する色等と考えることができる。２次色については、例えば、２色のインクで表現する色等と考えることができる。
【００２８】
また、位置選択処理Ｓ１０４において選択する位置を選択位置と定義した場合、位置選択処理Ｓ１０４の動作について、例えば、２色以下のインクを用いて色を表現すべき位置を選択する動作等と考えることができる。また、より具体的に、本例の位置選択処理Ｓ１０４において、ホストＰＣ１４は、２色のインクを用いて色を表現すべき位置と、１色のみのインクを用いて色を表現すべき位置とを選択する。また、この場合、２色のインクを用いて色を表現すべき位置については、例えば、２次色を保持する位置等と考えることができる。１色のみのインクを用いて色を表現すべき位置については、例えば、純色を保持する位置等と考えることができる。また、このような位置を選択する動作については、例えば、色の保持を行う画素を選択する処理（色保持画素選択処理）の動作等と考えることもできる。
【００２９】
また、本例において、純色及び２次色は、印刷装置１２において使用するインクの色数よりも少ない所定の色数以下のインクを用いて表現する色の一例である。そのため、位置選択処理Ｓ１０４の動作については、例えば、所定の色数以下のインクを用いて表現する色を選択する動作等と考えることもできる。また、本例において、位置選択処理Ｓ１０４では、純色又は２次色で色を表現すべき位置として、色変換前の印刷データでの色が純色又は２次色になっている位置を選択する。そのため、位置選択処理Ｓ１０４の動作については、例えば、所定の色が設定されている位置を選択する処理の動作等と考えることもできる。また、位置選択処理Ｓ１０４については、例えば、印刷データにおける各位置の中から一部の位置を選択する処理であり、印刷装置１２において使用する複数色のインクの色の数よりも少ない所定の色数以下のインクを用いて色を表現すべき位置を選択する処理等と考えることもできる。
【００３０】
また、本例の位置選択処理Ｓ１０４において、ホストＰＣ１４は、選択位置と対応付けて、その選択位置の色を表現するために使用するインクの色である使用インク色の指定を更に行う。また、この場合において、それぞれの選択位置に対し、使用インク色として、所定の色数以下のインクの色を指定する。より具体的に、この場合、純色を表現すべき位置として選択される選択位置に対しては、その純色に対応する１色を、使用インク色として指定する。また、２次色を表現すべき位置として選択される選択位置に対しては、その２次色に含まれる２色を、使用インク色として指定する。また、本例において、使用インク色の指定については、印刷データにおいて各位置に設定されている色（印刷データの色情報）に基づき、自動的に行う。
【００３１】
位置選択処理Ｓ１０４に続いて、ホストＰＣ１４は、印刷データにおいて各位置に設定されている色について、所定のプロファイルに従って、変換を行う（プロファイル使用処理Ｓ１０６）。この場合、プロファイルについては、例えば、変換の前後の色を対応付けるデータ等と考えることができる。また、プロファイルについては、例えば、複数の色空間の各位置を対応付けるデータ等と考えることもできる。このようなプロファイルとしては、公知のプロファイルを好適に用いることができる。また、このような公知のプロファイルとしては、ＩＣＣプロファイル等を好適に用いることができる。
【００３２】
また、プロファイル使用処理Ｓ１０６については、例えば、プロファイルに従って印刷データにおける各位置の色を変換する処理等と考えることができる。また、より具体的に、本例のプロファイル使用処理Ｓ１０６において、ホストＰＣ１４は、印刷データにおける各位置の色について、プロファイルに基づき、変換前表色系の色からインク表色系の色に変換する。また、この場合、インク表色系としては、例えば、シアン色、マゼンタ色、及びイエロー色の各色を少なくとも用いて色を表現する表色系を用いることが考えられる。このように構成すれば、印刷装置１２において、カラー印刷を適切に行うことができる。また、より具体的に、本例において、インク表色系としては、ＣＭＹＫ表色系を用いる。
【００３３】
また、本例において、プロファイル使用処理Ｓ１０６では、インク表色系の色として、複数の色のインクのそれぞれの使用率と対応付けられる値であるインク使用率を設定する。この場合、インク使用率については、例えば、各位置（各画素）の色を表現するために用いるインクの色の濃度に対応する値等と考えられる。
【００３４】
ここで、印刷装置１２において、インクを吐出する動作については、例えば、印刷データに基づいてＲＩＰ処理等を行うことで生成した２値データを用いて制御を行うことが考えられる。これに対し、本例において、プロファイル使用処理Ｓ１０６で用いる印刷データは、２値データに変換される前のデータである。そのため、インク使用率についても、２値データに対応する値ではなく、例えば、０〜１００％等の所定の範囲内の濃度を示す値を設定することが考えられる。より具体的に、この場合、例えば、一つの画素の色の表現に用いる１色のインクの色の濃度について、最小値を０％とし、最大値を１００％として、各色（シアン色、マゼンタ色、イエロー色、及びブラック色のそれぞれ）のインクに対するインク使用率として、各色のインクの濃度を示す値を設定することが考えられる。また、この場合、０％の濃度については、その色を使用しないことを示すと考えることができる。また、１００％の濃度については、例えば、各画素に対応する吐出位置へ所定の最大容量のインク滴を吐出する場合のインクの濃度と考えることができる。
【００３５】
また、上記においても説明をしたように、本例においては、変換前表色系の色としても、例えば、ＣＭＹＫ表色系の色を用いることが考えられる。そして、この場合、プロファイル使用処理Ｓ１０６では、ＣＭＹＫ表色系の色からＣＭＹＫ表色系の色への変換を行うことになる。しかし、この場合も、色の表現の基本色として用いる各色（シアン、マゼンタ、イエロー、及びブラックの各色）の比率（混色の比率）については、通常、変換の前後で同一にはならないと考えることができる。より具体的に、この場合、変換前の色としては、例えば、印刷装置１２において使用するインクの特性を考慮せずに表現をした色を用いることが考えられる。また、この場合、変換前表色系について、例えば、印刷装置１２の特性に依存しない表色系等と考えることができる。
【００３６】
これに対し、上記の説明等から理解できるように、変換後の色の表現に用いるインク表色系は、印刷装置１２において使用するインクの特性を考慮した表色系である。この場合、インク表色系については、例えば、印刷装置１２の特性に依存した表色系等と考えることができる。また、プロファイル使用処理Ｓ１０６においてプロファイルを用いて行う色の変換の動作については、例えば、印刷装置１２の特性に合わせて色を変換するカラーマッチング動作等と考えることもできる。
【００３７】
また、プロファイル使用処理Ｓ１０６において、プロファイルに従って行う色の変換については、例えば、複数のプロファイルを用いて行ってもよい。この場合、複数のプロファイルを用いることで、例えば、変換の前後の色に対応する色空間について、直接に対応付けるのではなく、他の色空間を間に挟んで対応付けること等が考えられる。また、より具体的に、この場合、ホストＰＣ１４は、例えば、第１のプロファイルに基づき、変換前表色系の色を、Ｌａｂ表色系の色に変換する。また、第２のプロファイルに基づき、Ｌａｂ表色系の色を、インク表色系の色に変換する。
【００３８】
プロファイル使用処理Ｓ１０６に続いて、ホストＰＣ１４は、プロファイル使用処理Ｓ１０６での色の変換の結果に対して補正を行う処理を行う（色補正処理Ｓ１０８）。また、本例において、色補正処理Ｓ１０８では、位置選択処理Ｓ１０４で選択した選択位置に対する色の変換の結果に対し、所定の色数以下のインクを用いて表現される色になるように補正を行う。より具体的に、上記においても説明をしたように、位置選択処理Ｓ１０４では、選択位置として、純色（１次色）で色を表現すべき位置と、２次色で色を表現すべき位置とを選択する。また、本例において、純色や２次色で表現すべき位置を選択するとは、純色や２次色で表現すべき画素を選択することである。また、この場合、純色で色を表現すべき位置については、例えば、１色のインクのみを用いて色を表現すべき位置と考えることができる。また、２次色で色を表現すべき位置については、２色のインクを用いて色を表現すべき位置と考えることができる。そして、色補正処理Ｓ１０８では、例えば、選択位置のうち、純色で色を表現すべき位置について、補正後において１色のインクのみを用いて色が表現されるように、色の補正を行う。また、２次色で色を表現すべき位置について、補正後において２色のインクを用いて色が表現されるように、色の補正を行う。また、本例において、ホストＰＣ１４は、色補正処理Ｓ１０８の動作を行うことで、図１（ｂ）に図示したフローチャートの動作を終了する。色補正処理Ｓ１０８の動作については、以下において、更に詳しく説明をする。本例によれば、例えば、純色及び２次色について、より適切に色の変換を行うことができる。
【００３９】
続いて、色補正処理Ｓ１０８において行う補正の動作について、更に詳しく説明をする。先ず、本例の色補正処理Ｓ１０８で行うような補正を行わずに色を変換する場合の変換結果等について、説明をする。色補正処理Ｓ１０８で行うような補正を行わずに色を変換するとは、例えば、入力した印刷データに設定されている色に対し、ＩＣＣプロファイル等のプロファイルに従って色の変換を行い、その変換結果をそのまま用いることである。以下においては、説明の便宜上、色補正処理Ｓ１０８で行うような補正を行わずに色を変換する動作について、従来の色変換の動作という。また、従来の色変換の動作においては、プロファイルに従って行う色の変換の他に、純色や２次色を保持する処理を行うこと等も考えられる。この場合、純色や２次色を保持するに位置ついては、例えば、プロファイルに従うことで得られる変換の結果を用いずに、保持すべき純色又は２次色を直接設定することが考えられる。また、このような動作については、例えば、図１（ｂ）に示したフローチャートの動作に対して位置選択処理Ｓ１０４及び色補正処理Ｓ１０８の動作を本例とは異ならせた動作等と考えることができる。
【００４０】
図２は、従来の色変換の動作等について更に詳しく説明をする図である。尚、図２以降の図面では、図示の都合上、様々な色をカラー表示していた図面について、グレースケール画像での図示を行っている。
【００４１】
図２（ａ）は、従来の色変換の動作での色の変換結果の一例を示す図であり、濃度を１００％とするシアン色に対する変換結果の例を示す。この場合、濃度を１００％とするシアン色については、純色の例と考えることができる。また、図２（ａ）においては、変換結果として、純色の保持を行う場合の結果、及び、ＩＣＣプロファイルに従って色の変換を行う場合の結果の例を示している。
【００４２】
図中に示すように、従来の色変換の動作において、純色の保持を行う場合、保持すべき純色に対する色の変換の結果（出力結果）は、保持すべき純色を示す値になる。また、より具体的に、図中に示す場合において、濃度を１００％とするシアン色に対して純色を保持する場合の変換の結果は、濃度を１００％とするシアン色を示す値になる。
【００４３】
一方、同じ色に対し、ＩＣＣプロファイルに従って色の変換を行った場合、図中に示すように、変換の結果は、必ずしも純色にならない。より具体的に、図中に示す場合、濃度を１００％とするシアン色に対する変換結果では、シアン色の濃度が９６％、マゼンタ色の濃度が３％、イエロー色の濃度が１％になっている。
【００４４】
図２（ｂ）は、従来の色変換の動作での様々な色に対する変換の結果の例を示す図であり、純色及び２次色の保持をする場合について、変換の前後の色の例を示す。図２（ｃ）は、図２（ｂ）における変換後の色（出力結果）について、注目すべき位置を楕円で囲んで示す図である。上記においても説明をしたように、従来の色変換の動作において純色の保持を行う場合、色の変換の結果（出力結果）としては、保持すべき純色を示す値を用いる。また、この場合、２次色を保持する場合にも、同様に、色の変換の結果として、保持すべき２次色を示す値を用いることが考えられる。
【００４５】
しかし、この場合、色の保持を行う純色及び２次色と、その他の色との間で、色の変換の処理の仕方に差が生じることになる。この場合、その他の色とは、例えば、シアン、マゼンタ、及びイエローの各色の成分を含む色のことである。また、その結果、図２（ｃ）において楕円で囲んで示した領域のような、純色又は２次色を含む領域において、変換後の色の連続性が不十分になり、トーンジャンプ等が生じる場合がある。また、トーンジャンプ等が生じることで、印刷の結果に影響が生じること等が考えられる。
【００４６】
これに対し、本例においては、図２等を用いて上記においても説明をしたように、純色及び２次色について、ＩＣＣプロファイル等のプロファイルを用いて色の変換を行った結果に対する補正を行うことで、純色や２次色の保持を行う。このように構成した場合、例えば、純色や２次色に対する色の変換の結果においても、ＩＣＣプロファイルの影響を適切に反映させることができる。また、これにより、例えば、トーンジャンプ等の発生をより適切に抑えることができる。
【００４７】
図３は、本例において行う色変換の動作等について更に詳しく説明をする図である。図３（ａ）は、純色に対する色変換の動作の一例を示す図であり、濃度を１００％とするシアン色に対して純色を保持する色変換を行う場合の動作の例を示す。また、本例において、プロファイル使用処理Ｓ１０６（図１参照）では、プロファイルとして、印刷装置１２（図１参照）において使用するインクの特性に合わせて予め作成されたＩＣＣプロファイルを用いる。また、図示した場合において、ＩＣＣプロファイルとしては、図２（ａ）を用いて説明をした従来の色変換で使用するＩＣＣプロファイルと同じものを用いている。この場合、プロファイル使用処理Ｓ１０６で色の変換を行った時点での変換後の色では、図２（ａ）に示した場合と同じように、シアン色の濃度が９６％、マゼンタ色の濃度が３％、イエロー色の濃度が１％になっている。
【００４８】
これに対し、本例においては、上記においても説明をしたように、色補正処理Ｓ１０８（図１参照）において、色の補正を行う。そして、純色の保持を行う場合、この補正においては、補正後において１色のインクのみを用いて色が表現されるように、色の補正を行う。また、より具体的に、この場合、プロファイル使用処理Ｓ１０６での変換後の色に対し、保持する対象の純色の色であるシアン色以外の色の成分を削除するように、補正を行う。そして、この場合、補正後の色では、シアン色の濃度が９６％になり、他の色の濃度は０％になる。
【００４９】
このように構成すれば、例えば、純色を保持すべき位置において、他の色が混じることを適切に防ぐことができる。また、この場合において、純色の濃度としては、プロファイル使用処理Ｓ１０６で色の変換の結果を反映した濃度を用いることになる。そのため、例えば従来の色変換を行う場合と比べ、変換後の色の連続性を適切に高めることができる。また、これにより、例えば、意図しないトーンジャンプ等が生じることを適切に防ぐことができる。また、本例のように、シアン、マゼンタ、及びイエローの各色のインクを用いる場合、これらの３色が混じると、黒色の成分が生じ、色に濁りが生じることになる。これに対し、本例によれば、このような濁りが発生すること等も適切に防ぐことができる。
【００５０】
また、このような効果は、２次色の保持を行う場合にも同様に得ることができる。図３（ｂ）は、２次色に対する色変換の動作の一例を示す図であり、シアン色の濃度を１００％とし、イエロー色の濃度を９９％とする２次色を保持する色変換を行う場合の動作の例を示す。また、図示した場合において、プロファイル使用処理Ｓ１０６で色の変換を行った時点での変換後の色は、シアン色の濃度が９６％、マゼンタ色の濃度が３％、イエロー色の濃度が９５％、ブラック色の濃度が１％になる。
【００５１】
これに対し、本例において２次色の保持を行う場合、色補正処理Ｓ１０８では、上記においても説明をしたように、補正後において２色のインクを用いて色が表現されるように、色の補正を行う。また、より具体的に、この場合、プロファイル使用処理Ｓ１０６での変換後の色に対し、保持する対象の２次色を構成する２色であるシアン色及びイエロー色以外の色の成分を削除するように、補正を行う。そして、この場合、補正後の色では、シアン色の濃度が９６％になり、イエロー色の濃度が９５％になり、その他の色の濃度は０％になる。
【００５２】
この場合も、例えば、２次色を保持すべき位置において、２次色を構成する２色以外の他の色が混じることを適切に防ぐことができる。また、これにより、例えば、他の色が混じることで色の濁りが生じることを適切に防ぎつつ、２次色の保持を適切に行うことができる。また、この場合も、２次色を構成する２色の濃度として、プロファイル使用処理Ｓ１０６で色の変換の結果を反映した濃度を用いることになる。そのため、例えば従来の色変換を行う場合と比べ、変換後の色の連続性を適切に高めることができる。また、これにより、例えば、意図しないトーンジャンプ等が生じることを適切に防ぐことができる。
【００５３】
このように、本例においては、純色及び２次色について、プロファイルに基づく色の変換を行った上で、使用するインクの色数を合わせる補正を行う。そして、この場合、上記のように、例えば、トーンジャンプ等を防ぎつつ、より適切に色の変換を行うことができる。そのため、本例によれば、例えば、保持対象外の色との親和性を保ちつつ、純色及び２次色の保持をより適切に行うことができる。
【００５４】
図４は、本例により得られる効果について更に詳しく説明をする図である。図４（ａ）は、純色及び２次色を保持して行う従来の色変換の結果の例を示す。図４（ｂ）は、本例において行う色変換の結果の例を示す。上記の説明及び図示した事項等から理解できるように、本例によれば、例えば、トーンジャンプ等を適切に防ぎつつ、純色及び２次色の保持を行うことができる。また、この場合、従来の色変換の動作を行う場合と比べ、保持対象の色と保持対象外の色との差が目立ちにくくなるため、例えば、保持対象の色と保持対象外の色とが混在している印刷データに対して、より高い精度でより適切に色変換を行うことが可能になる。
【００５５】
また、従来の色変換の場合、トーンジャンプ等が目立ちやすくなるため、例えば２次色の保持を行う場合にも、保持可能な２次色が制限される場合があった。より具体的に、２次色において、２次色を構成する２色の濃度が異なる場合（２次色を構成している色の比率が異なる場合）、従来の色変換で２次色の保持を行うと、トーンジャンプが特に目立ちやすくなる場合がある。そのため、従来の色変換では、通常、２次色を構成している色の比率が等しい場合のみに、２次色の保持を行っていた。
【００５６】
これに対し、本例においては、２次色を構成している色の比率が異なる場合（等比でない２次色の場合）でも、トーンジャンプ等が生じることを防ぎつつ、より適切に２次色の保持を行うことができる。また、これにより、例えば、２次色を高い階調性でより適切に表現することや、より多様な２次色について高い品質での保持を行うこと等が可能になる。より具体的に、この場合、例えば、濁りのないオレンジやシアン味の強いブルー等について、より適切に色の保持を行い、印刷結果において出力することができる。
【００５７】
続いて、上記において説明をした各構成に関する補足説明や、変形例の説明等を行う。上記において説明をしたように、本例において、色補正処理Ｓ１０８（図１参照）では、純色で色を表現すべき位置について、補正後において１色のインクのみを用いて色が表現されるように、色の補正を行う。また、２次色で色を表現すべき位置について、補正後において２色のインクを用いて色が表現されるように、色の補正を行う。また、上記においても説明をしたように、本例において、プロファイル使用処理Ｓ１０６（図１参照）では、インク表色系の色として、複数の色のインクのそれぞれの使用率と対応付けられるインク使用率を設定する。
【００５８】
そして、この場合、インク使用率に着目すれば、色補正処理Ｓ１０８での動作について、例えば、選択位置に対してプロファイル使用処理Ｓ１０６において設定されたインク使用率に対してその選択位置での使用インク以外を使用しないようにインク使用率を補正する動作等と考えることができる。この場合、使用インク色とは、上記においても説明をしたように、それぞれの選択位置の色を表現するために使用するインクの色として位置選択処理Ｓ１０４（図１参照）において指定される色のことである。また、選択位置での使用インク以外を使用しないようにインク使用率を補正するとは、例えば、位置選択処理Ｓ１０４において選択位置に対して使用インク色として指定された色以外の色である非使用インク色を使用しないように、インク使用率を補正することである。また、このような動作については、例えば、選択位置に対してプロファイル使用処理Ｓ１０６において設定されたインク使用率のうち、非使用インク色に対応するインク使用率ついて、インクを使用しないことを示す値に変更する動作等と考えることができる。
【００５９】
また、本例の色補正処理Ｓ１０８では、上記においても説明をしたように、使用インク色に対応するインク使用率について、例えば、プロファイル使用処理Ｓ１０６で設定された値を補正後の値としてそのまま用いる。より具体的に、この場合、色補正処理Ｓ１０８では、例えば、選択位置に対してプロファイル使用処理Ｓ１０６で設定されたインク使用率のうち、位置選択処理Ｓ１０４においてその選択位置に対して使用インク色として指定された色に対応するインク使用率は変化させないことになる。このように構成すれば、例えば、色補正処理Ｓ１０８の動作を簡易かつ適切に行うことができる。
【００６０】
また、色補正処理Ｓ１０８の動作の変形例においては、使用インク色に対応するインク使用率についても変更を行ってもよい。この場合、例えば、位置選択処理Ｓ１０４において選択位置に対して指定された使用インク色に対応するインク使用率について、非使用インク色に対応するインク使用率の変更前の値に基づいて変化させること等が考えられる。この場合、非使用インク色に対応するインク使用率の変更前の値とは、色補正処理Ｓ１０８において補正を行う前の値のことである。このように構成すれば、例えば、非使用インク色に対応するインク使用率の変化量に合わせて、使用インク色に対応するインク使用率を調整することができる。また、これにより、例えば、色補正処理Ｓ１０８での色の補正をより高い精度で行うこと等も可能になる。
【００６１】
また、上記においても説明をしたように、本例において、位置選択処理Ｓ１０４では、色補正処理Ｓ１０８での補正の処理の対象となる位置（画素）の選択を行う。この場合、位置の選択については、例えば、印刷データにおいて設定されている色に基づき、純色又は２次色が設定されている画素を自動的に選択することが考えられる。また、位置選択処理Ｓ１０４における位置の選択については、完全に自動的に行うのではなく、ユーザの指示を受けつつ行うこと等も考えられる。この場合、例えば、印刷データが示す画像における一部の領域を選択する指示をユーザから受け付け、その領域内のみを対象に位置の選択を行うこと等が考えられる。より具体的に、例えば、印刷データにおいては、純色又は２次色で表現することをユーザが意図した箇所以外にも、様々な色表現を行う中で偶々純色又は２次色が設定される画素が生じる場合がある。そして、このような画素については、上記のような補正の処理を行わずに、周辺の画素を同じように処理を行うことが好ましい場合もある。また、画像中の領域によっては、トーンジャンプを防ぐことよりも、各色のインクの濃度を維持することが重要になる場合も考えられる。そして、このような場合には、上記のように、ユーザにより選択された領域内を対象に位置の選択を行うことが好ましい。また、保持の対象とする色に関し、本例においては、全ての純色及び２次色を対象にすることが考えられる。しかし、色変換処理の変形例においては、全ての純色及び２次色を対象にするのではなく、ユーザの指示に基づいて選択された一部の色のみを対象にしてもよい。この場合、位置選択処理Ｓ１０４では、例えば、ユーザにより選択された色に対応する位置の選択を行うことが考えられる。
【００６２】
また、上記においては、主に、純色や２次色に対して色変換を行う動作について、説明をした。これに対し、上記においても説明をしたように、本例の印刷装置１２においては、３次色に相当するブラック色のインクを更に用いる。また、この場合、ブラック色について、１色のインクのみで表現可能な色等と考えることもできる。しかし、３次色について、色補正処理Ｓ１０８での補正を純色や２次色と同様に行うと、補正の影響でトーンジャンプが生じること等も考えられる。より具体的に、プロファイル使用処理Ｓ１０６での変換前の色として、例えば、シアン色の濃度が５０％であり、マゼンタ色の濃度が４０％であり、イエロー色の濃度が３０％である３次色等を考えた場合、変換後の色においては、ブラック色の濃度（ブラックのインクの量）が支配的になることが考えられる。そして、このような場合において、変換の入力として含まれていなかったブラック色の成分を削除する補正を行うと、色の濃度が大幅に低下して、意図した色とかけ離れた色になることが考えられる。そのため、３次色については、色補正処理Ｓ１０８での補正を行わず、プロファイル使用処理Ｓ１０６での変換の結果（変換後の色）をそのまま用いることが好ましい。
【００６３】
また、上記においても説明をしたように、本例の印刷システム１０における印刷装置１２としては、公知のインクジェットプリンタを好適に用いることができる。また、この場合、印刷装置１２としては、純色や２次色の保持を行うことが特に望まれる用途のインクジェットプリンタを用いることが考えられる。より具体的に、印刷装置１２としては、例えば、布の媒体に対して印刷を行うインクジェットプリンタや、他の媒体への転写に用いる媒体である転写媒体に対して印刷を行うインクジェットプリンタ等を用いることが考えられる。これらの場合、例えば、複数の色のインクを混色させて色を表現する場合に、他の色と比べてインク使用率が大幅に小さい色が混じっていると、粒状感等が目立ちやすくなる。より具体的に、例えば、布の媒体への印刷を行う場合には、布にインクが浸透することで、インクのドットのサイズ（直径）が大きくなりやすい。また、転写媒体に対して印刷を行う場合には、転写時に圧力を加える影響により、転写後の画像において、インクのドットのサイズが大きくなりやすい。そして、これらの場合、インクのドットのサイズが大きくなることで、粒状感が特に目立ちやすくなると考えられる。
【００６４】
そのため、これらの場合において、純色や２次色等について、単にプロファイルを用いた色の変換のみを行うと、インクの使用率が小さな色の成分が混じることで、粒状感等が目立ち、印刷の品質の低下が生じやすくなると考えられる。これに対し、印刷データに対し、上記のように色変換処理を行う場合、インクの使用率が小さな色の成分が意図せずに混じることを適切に防ぐことができる。また、これにより、例えば、粒状感等が目立ちやすい用途の印刷装置１２においても、高い品質での印刷をより適切に行うことができる。
【００６５】
また、上記においても説明をしたように、本例においては、プログラムに従って色変換処理を行うホストＰＣ１４の動作について、例えば、色変換装置として動作していると考えることができる。そして、この場合、ホストＰＣ１４の各部について、色変換装置の各部として動作していると考えることができる。より具体的に、例えば、ホストＰＣ１４において外部から印刷データを受け取る部分（例えば、ネットワークインターフェイス、又は記憶媒体の読取部等）について、データ入力処理Ｓ１０２（図１参照）を実行するデータ入力部として機能すると考えることができる。また、ホストＰＣ１４のＣＰＵについて、例えば、位置選択処理Ｓ１０４を実行する位置選択部、プロファイル使用処理Ｓ１０６を実行するプロファイル処理部、及び、色補正処理Ｓ１０８を実行する色補正部として機能すると考えることができる。
【００６６】
また、上記においては、印刷装置１２について、主に、２次元の画像を印刷するインクジェットプリンタである場合の動作等を説明した。しかし、印刷装置１２としては、例えば、立体的な造形物を造形する３Ｄプリンタを用いること等も考えられる。この場合、印刷装置１２は、例えば、インクの層を複数層重ねることで、積層造形法で造形物を造形する。また、複数色のインクを用いて造形を行うことで、少なくとも一部が着色された造形物を造形する。この場合、複数色のインクとしては、例えば、シアン色、マゼンタ色、イエロー色、及びブラック色のインクに加え、白色及びクリア色のインク等を更に用いることが好ましい。このような場合にも、上記のように色変換を行うことで、より適切に色変換を行うことができる。
【産業上の利用可能性】
【００６７】
本発明は、例えば色変換方法に好適に用いることができる。
【符号の説明】
【００６８】
１０・・・印刷システム、１２・・・印刷装置、１４・・・ホストＰＣ
【図１】
2020187665.tif 000003
【図２】
2020187665.tif 000004
【図３】
2020187665.tif 000005
【図４】
2020187665.tif 000006